(57)【要約】【課題】ＣＭ放送コンテンツの視聴者側で自らが希望するＣＭ放送コンテンツを随時視聴できるようにしたＣＭ視聴システムを提供する。【解決手段】放送事業者のサーバ装置ＳＶに放送波により放送されるＣＭ放送コンテンツを蓄積しておくことで、放送波により放送されるＣＭ放送コンテンツについてのユーザによる取得要求から放送受信機ＲＳ１〜ＲＳｎに対する当該取得要求に応じたＣＭ放送コンテンツの送信処理までの処理を、公衆通信網ＮＷを介して実行する。また、放送受信機ＲＳ１〜ＲＳｎにおいて、ユーザが希望するＣＭ放送コンテンツのカテゴリを示す情報を予め登録しておき、この登録したカテゴリと実際に放送局ＢＳから送られるＣＭ放送コンテンツのカテゴリとを比較することで放送されるＣＭ放送コンテンツが取得希望のものであるか否かを判定し、取得希望のものである場合に、サーバ装置ＳＶから該当するＣＭ放送コンテンツを公衆通信網ＮＷを介して伝送する。【選択図】      図１
2008072216.tif 000002
【特許請求の範囲】
【請求項１】
コンテンツ制作者の端末により制作されかつ商品またはサービスを購入するためのＣＭ（Commercial Message）放送コンテンツを所定の放送ネットワークにより放送する放送送信装置と、この放送送信装置から放送されたＣＭ放送コンテンツを受信し再生する放送受信装置と、この放送受信装置に対し前記放送ネットワークとは異なる通信ネットワークを介して接続可能なサーバ装置とを具備し、
前記サーバ装置は、
前記コンテンツ制作者の端末により制作されたＣＭ放送コンテンツをカテゴリ及びコンテンツ制作者に対応付けて記憶する記憶手段と、
前記放送受信装置から通信ネットワークを介して前記ＣＭ放送コンテンツのカテゴリ、取得内容及び個人情報を含むＣＭ放送コンテンツの取得要求が送られた場合に、この取得要求に応じて要求元の放送受信装置に対し前記記憶手段の中から該当するＣＭ放送コンテンツを読み出し前記通信ネットワークを介して送信する放送コンテンツ送信手段とを備え、
前記放送受信装置は、
ユーザの指定入力操作に応じて、前記通信ネットワークを介して前記サーバ装置に対し前記取得要求を送出する取得要求送出手段と、
前記取得要求の送出に対し前記サーバ装置から前記通信ネットワークを介して送られたＣＭ放送データを受信し記憶する放送コンテンツ受信手段とを備えたことを特徴とするＣＭ視聴システム。
【請求項２】
コンテンツ制作者の端末により制作されかつ商品またはサービスを購入するためのＣＭ（Commercial Message）放送コンテンツを所定の放送ネットワークにより放送する放送送信装置と、この放送送信装置から放送されたＣＭ放送コンテンツを受信し再生する放送受信装置と、この放送受信装置に対し前記放送ネットワークとは異なる通信ネットワークを介して接続可能なサーバ装置とを備えたシステムで使用されるＣＭ放送コンテンツ提供方法において、
前記サーバ装置にて、前記コンテンツ制作者の端末により制作されたＣＭ放送コンテンツをカテゴリ及びコンテンツ制作者に対応付けてメモリに記憶し
ユーザの指定入力操作に応じて、前記放送受信装置から前記通信ネットワークを介して前記サーバ装置に対し、前記ＣＭ放送コンテンツのカテゴリ、取得内容及び個人情報を含む取得要求を送出し、
前記サーバ装置において、前記放送受信装置から通信ネットワークを介してＣＭ放送コンテンツの取得要求が送られた場合に、この取得要求に応じて要求元の放送受信装置に対し前記メモリの中から該当するＣＭ放送コンテンツを読み出し前記通信ネットワークを介して送信するようにしたことを特徴とするＣＭ放送コンテンツ提供方法。
【請求項３】
所定の放送ネットワークにより放送されかつコンテンツ制作者の端末により制作されかつ商品またはサービスを購入するためのＣＭ（Commercial Message）放送コンテンツを受信し再生するとともに、サーバ装置に対し前記放送ネットワークとは異なる通信ネットワークを介して接続可能な放送受信装置において、
ユーザの指定入力操作に応じて、前記通信ネットワークを介して前記サーバ装置に対し前記ＣＭ放送コンテンツのカテゴリ、取得内容及び個人情報を含む取得要求を送出する取得要求送出手段と、
前記取得要求の送出に対し前記サーバ装置から前記通信ネットワークを介して送られたＣＭ放送データを受信し記憶する放送コンテンツ受信手段とを具備したことを特徴とする放送受信装置。
【請求項４】
前記放送受信装置は、
取得を希望するＣＭ放送コンテンツのカテゴリを示す情報を記憶する希望コンテンツ記憶手段と、
前記放送送信装置から放送ネットワークを介して到来したＣＭ放送コンテンツを前記希望コンテンツ記憶手段に記憶されているＣＭ放送コンテンツのカテゴリを示す情報と比較することで、取得希望のＣＭ放送コンテンツであるか否かを判定する判定手段とをさらに備え、
前記取得要求送出手段は、前記判定手段により取得希望のＣＭ放送コンテンツが放送されたと判定された場合に、その旨をユーザに報知し、この報知に対しユーザがＣＭ放送コンテンツの取得指示を入力した場合に前記取得要求を送出することを特徴とする請求項３記載の放送受信装置。
【請求項５】
前記取得要求送出手段は、
前記判定手段により取得希望のＣＭ放送コンテンツが放送されたと判定された場合に、その旨をユーザに報知し、この報知に対しユーザがＣＭ放送コンテンツの取得指示を入力した場合に前記取得要求を送出する第１のモードと、
前記判定手段により取得希望のＣＭ放送コンテンツが放送されたと判定された場合に、自動的に前記取得要求を送出する第２のモードと、
ユーザのモード指定操作に応じて、前記第１及び第２のモードを選択的に実行させるモード選択制御手段とを備えたことを特徴とする請求項４記載の放送受信装置。
【請求項６】
所定の放送ネットワークにより放送されかつコンテンツ制作者の端末により制作されかつ商品またはサービスを購入するためのＣＭ（Commercial Message）放送コンテンツを受信し再生する放送受信装置に対し、前記放送ネットワークとは異なる通信ネットワークを介して接続可能なサーバ装置において、
前記コンテンツ制作者の端末により制作されたＣＭ放送コンテンツをカテゴリ及びコンテンツ制作者に対応付けて記憶する記憶手段と、
前記放送受信装置から通信ネットワークを介して前記ＣＭ放送コンテンツのカテゴリ、取得内容及び個人情報を含むＣＭ放送コンテンツの取得要求が送られた場合に、この取得要求に応じて要求元の放送受信装置に対し前記記憶手段の中から該当するＣＭ放送コンテンツを読み出し前記通信ネットワークを介して送信する放送コンテンツ送信手段とを具備したことを特徴とするサーバ装置。
【請求項７】
前記サーバ装置は、
前記放送受信装置のユーザの個人情報と、前記ＣＭ放送コンテンツの取得回数と、取得したＣＭ放送コンテンツのコンテンツ制作者を示す情報とを対応付けて記憶するユーザ情報記憶手段をさらに備えたことを特徴とする請求項６記載のサーバ装置。
【請求項８】
前記サーバ装置は、
前記ユーザ情報記憶手段に記憶されたユーザごとの前記ＣＭ放送コンテンツの取得回数に基づいてＣＭ放送コンテンツごとの取得回数に関する統計データを求める統計処理手段と、
この統計処理手段により求められたＣＭ放送コンテンツごとの統計データを該当するコンテンツ制作者の端末装置へ送信する統計データ通知手段とをさらに備えたことを特徴とする請求項７記載のサーバ装置。
【請求項９】
前記サーバ装置は、前記統計処理手段により求められたＣＭ放送コンテンツごとの統計データに基づいて、当該ＣＭ放送コンテンツを制作したコンテンツ制作者への報償金額を算出し、この金額をコンテンツ制作者に支払うための処理を行う手段をさらに備えたことを特徴とする請求項８記載のサーバ装置。
【請求項１０】
前記サーバ装置は、ユーザ情報記憶手段に記憶されたユーザごとの前記ＣＭ放送コンテンツの取得回数に応じた利益を該当するユーザに還元する利益還元手段をさらに備えたことを特徴とする請求項７記載のサーバ装置。
【請求項１１】
前記利益還元手段は、前記ＣＭ放送コンテンツの取得回数に応じて、前記放送受信装置ユーザによる商品の購入料金またはサービスの利用料金について割引きを行なうことを特徴とする請求項１０記載のサーバ装置。
【請求項１２】
前記利益還元手段は、前記ＣＭ放送コンテンツの取得回数に応じて、前記放送受信装置ユーザに対し、取得希望のＣＭ放送コンテンツに連続する付加ＣＭ放送コンテンツを前記通信ネットワークを介して提供することを特徴とする請求項１０記載のサーバ装置。
【請求項１３】
前記利益還元手段は、前記ＣＭ放送コンテンツの取得回数に応じて、前記放送受信装置ユーザに対し、前記放送ネットワークでは放送されないＣＭ放送コンテンツを前記通信ネットワークを介して提供することを特徴とする請求項１０記載のサーバ装置。
【請求項１４】
前記サーバ装置の記憶手段は、ＣＭ放送コンテンツと共に、当該ＣＭ放送コンテンツとは異なる放送番組コンテンツを記憶し、
前記放送コンテンツ送信手段は、前記放送受信装置から通信ネットワークを介して前記ＣＭ放送コンテンツの取得要求が送られた場合に、この取得要求に応じて要求元の放送受信装置に対し前記記憶手段の中から該当するＣＭ放送コンテンツ及び放送番組コンテンツを読み出し前記通信ネットワークを介して送信することを特徴とする請求項６記載のサーバ装置。
【請求項１５】
前記放送コンテンツ送信手段は、前記取得要求に応じて前記記憶手段の中から該当するＣＭ放送コンテンツを読み出して、当該ＣＭ放送コンテンツを、前記取得要求のデータフォーマットに変換し、このフォーマット変換されたＣＭ放送コンテンツを要求元の放送受信装置に対し前記通信ネットワークを介して送信することを特徴とする請求項６記載のサーバ装置。
【発明の詳細な説明】
【技術分野】
【０００１】
この発明は、例えば地上放送・通信システムにおいて、放送局から放送受信機に対し放送されるＣＭ（Commercial Message）放送コンテンツを視聴者側で有効に利用できるようにしたＣＭ視聴システム、ＣＭ放送コンテンツ提供方法、ＣＭ視聴システムの放送受信装置及びサーバ装置に関する。
【背景技術】
【０００２】
近年、地上波放送システムにおいて、デジタル放送が開始されている。このようなデジタル放送では、一層のサービスの充実が期待されており、その中でもＣＭ放送コンテンツについてのサービスが有力視されている。
【０００３】
現在のテレビジョン放送やラジオ放送では、視聴者にとって放送されているＣＭ放送コンテンツを受身で視聴するしかなく、またＣＭ放送コンテンツを制作した広告主にとっては商品購入に結びついているかを把握することが困難である。
【０００４】
なお、従来では、インターネット上で放送している有料番組を視聴する際に、ＣＭを視聴するかどうかを視聴者に選択させ、ＣＭ視聴が選択された場合は視聴者端末にＣＭを放送し、ＣＭの商品が視聴者により購入されたか否かを判別し、商品が購入された場合は、有料番組に対する視聴料を徴収する際に、割り引いた視聴料を徴収する手法が提案されている（例えば、特許文献１）。
【特許文献１】特開２００２−３６９１７７号公報
【発明の開示】
【発明が解決しようとする課題】
【０００５】
ところが、上記手法は、インターネットで放送されている有料番組についてＣＭを視聴するか否かを適用するものであり、放送波によりＣＭ放送コンテンツを放送するシステムには適用できない。
【０００６】
一方、上記放送システムでは、例えば調査機関が無作為に選択した一定数の視聴者に対し調査員が聞き取り調査してＣＭの視聴率を算出し、この視聴率を広告主にフィードバックして次回のＣＭ放送コンテンツの制作に反映させること等も考えられている。しかし、このような方法では、視聴率調査を人手に頼っており、視聴者のサンプル数が比較的少数に限られるため、正確な視聴率データを算出し難い。
【０００７】
そこで、この発明の目的は、ＣＭ放送コンテンツの視聴者側で自らが希望するＣＭ放送コンテンツを随時視聴できるようにし、これにより視聴者の娯楽性の向上、商品の購買意欲の増進あるいはサービスの利用の拡大、ＣＭ放送コンテンツの制作側における商品またはサービスの売り上げ向上を図り得るＣＭ視聴システム、ＣＭ放送コンテンツ提供方法、ＣＭ視聴システムの放送受信装置及びサーバ装置を提供することにある。
【課題を解決するための手段】
【０００８】
この発明は、上記目的を達成するために、以下のように構成される。  
コンテンツ制作者の端末により制作されかつ商品またはサービスを購入するためのＣＭ（Commercial Message）放送コンテンツを所定の放送ネットワークにより放送する放送送信装置と、この放送送信装置から放送されたＣＭ放送コンテンツを受信し再生する放送受信装置と、この放送受信装置に対し放送ネットワークとは異なる通信ネットワークを介して接続可能なサーバ装置とを具備し、サーバ装置は、コンテンツ制作者の端末により制作されたＣＭ放送コンテンツをカテゴリ及びコンテンツ制作者に対応付けて記憶する記憶手段と、放送受信装置から通信ネットワークを介してＣＭ放送コンテンツのカテゴリ、取得内容及び個人情報を含むＣＭ放送コンテンツの取得要求が送られた場合に、この取得要求に応じて要求元の放送受信装置に対し記憶手段の中から該当するＣＭ放送コンテンツを通信ネットワークを介して送信する放送コンテンツ送信手段とを備え、放送受信装置は、ユーザの指定入力操作に応じて、通信ネットワークを介してサーバ装置に対し取得要求を送出する取得要求送出手段と、取得要求の送出に対しサーバ装置から通信ネットワークを介して送られたＣＭ放送データを受信し記憶する放送コンテンツ受信手段とを備えるようにしたものである。
【０００９】
この構成によれば、サーバ装置のメモリに放送ネットワークにより放送されるＣＭ放送コンテンツを蓄積しておくことで、放送ネットワークにより放送されるＣＭ放送コンテンツについてのユーザによる取得要求から放送受信装置に対する当該取得要求に応じたＣＭ放送コンテンツの送信処理までの工程が、全て通信ネットワークを介して行なわれることになる。
【００１０】
従って、放送受信装置のユーザ側で自らが希望するＣＭ放送コンテンツを随時視聴できるようになり、これによりユーザは購入希望の商品またはサービスを雑誌等で検索する必要がなく、ユーザの娯楽性を高められることはもちろんのこと、そのＣＭ放送コンテンツに含まれる商品の購買意欲の増進あるいはサービスへの加入促進を図ることができる。一方、ＣＭ放送コンテンツの制作者にとっては、ＣＭ放送コンテンツの視聴効果により収入を得ることができ、商品またはサービスの売り上げ向上につながる。
【００１１】
放送受信装置は、取得を希望するＣＭ放送コンテンツのカテゴリを示す情報を記憶する希望コンテンツ記憶手段と、放送送信装置から放送ネットワークを介して到来したＣＭ放送コンテンツを希望コンテンツ記憶手段に記憶されているＣＭ放送コンテンツのカテゴリを示す情報と比較することで、取得希望のＣＭ放送コンテンツであるか否かを判定する判定手段とをさらに備え、取得要求送出手段は、判定手段により取得希望のＣＭ放送コンテンツが放送されたと判定された場合に、その旨をユーザに報知し、この報知に対しユーザがＣＭ放送コンテンツの取得指示を入力した場合に取得要求を送出することを特徴とする。
【００１２】
この構成によれば、ユーザが希望するＣＭ放送コンテンツのカテゴリを示す情報を予めメモリに登録しておき、この登録したカテゴリと実際に放送送信装置から送られるＣＭ放送コンテンツのカテゴリとを比較することで放送されるＣＭ放送コンテンツが取得希望のものであるか否かが判定される。そして、取得希望のものである場合に、サーバ装置から該当するＣＭ放送コンテンツが通信ネットワークを介して伝送される。従って、ユーザは着目しているカテゴリに属するＣＭ放送コンテンツが受信されるごとに、そのＣＭ放送コンテンツを常にタイムリーに取得することができる。また、取得希望のＣＭ放送コンテンツが放送されるごとにユーザが自身でそのＣＭ放送コンテンツが必要か否かを判断して指示することができ、これにより真に必要なＣＭ放送コンテンツのみを取得することが可能となる。
【００１３】
取得要求送出手段は、判定手段により取得希望のＣＭ放送コンテンツが放送されたと判定された場合に、その旨をユーザに報知し、この報知に対しユーザがＣＭ放送コンテンツの取得指示を入力した場合に取得要求を送出する第１のモードと、判定手段により取得希望のＣＭ放送コンテンツが放送されたと判定された場合に、自動的に取得要求を送出する第２のモードと、ユーザのモード指定操作に応じて、第１及び第２のモードを選択的に実行させるモード選択制御手段とを備えたことを特徴とする。
【００１４】
この構成によれば、例えばＣＭ放送コンテンツごとに取得モードを設定しておくことで、あるＣＭ放送コンテンツについては受信されるごとに即時取得し、一方別のＣＭ放送コンテンツについてはユーザ自身が必要と判断した場合にのみ取得するというように、コンテンツごとに最適なＣＭ放送コンテンツ取得を行うことができる。
【００１５】
サーバ装置は、放送受信装置のユーザの個人情報と、ＣＭ放送コンテンツの取得回数と、取得したＣＭ放送コンテンツのコンテンツ制作者を示す情報とを対応付けて記憶するユーザ情報記憶手段と、ユーザ情報記憶手段に記憶されたユーザごとの前記ＣＭ放送コンテンツの取得回数に基づいてＣＭ放送コンテンツごとの取得回数に関する統計データを求める統計処理手段と、この統計処理手段により求められたＣＭ放送コンテンツごとの統計データを該当するコンテンツ制作者の端末装置へ送信する統計データ通知手段とをさらに備えたことを特徴とする。
【００１６】
この構成によれば、ユーザ情報記憶手段に蓄積管理されたユーザに関する情報を用いて多数の視聴者によるＣＭ放送コンテンツの取得状況を管理することができるとともに、ＣＭ放送コンテンツごとの取得回数に関する統計データを求めることができ、これによりＣＭ放送コンテンツの制作者は精度の高い統計データをもとに次回のＣＭ放送コンテンツの制作を行なうことができるとともに、マーケティングに追従した次の商品展開の予測を容易にし、収益アップにつながる。
【００１７】
サーバ装置は、統計処理手段により求められたＣＭ放送コンテンツごとの統計データに基づいて、当該ＣＭ放送コンテンツを制作したコンテンツ制作者への報償金額を算出し、この金額をコンテンツ制作者に支払うための処理を行う手段をさらに備えたことを特徴とする。
【００１８】
この構成によれば、ＣＭ放送コンテンツの制作者は自身が制作したＣＭ放送コンテンツの評価に応じた報償金額を受け取ることができ、これにより制作意欲のさらなる増進が期待できる。
【００１９】
サーバ装置は、ユーザ情報記憶手段に記憶されたユーザごとのＣＭ放送コンテンツの取得回数に応じた利益を該当するユーザに還元する利益還元手段をさらに備えたことを特徴とする。具体的には、ＣＭ放送コンテンツの取得回数に応じて、放送受信装置ユーザによる商品の購入料金またはサービスの利用料金について割引きを行なう。ＣＭ放送コンテンツの取得回数に応じて、放送受信装置ユーザに対し、取得希望のＣＭ放送コンテンツに連続する付加ＣＭ放送コンテンツを提供する。ＣＭ放送コンテンツの取得回数に応じて、放送受信装置ユーザに対し、放送ネットワークでは放送されないＣＭ放送コンテンツを通信ネットワークを介して提供する。
【００２０】
この構成によれば、ＣＭ放送コンテンツの取得回数に応じてそれに見合う利益が、例えばＣＭ放送コンテンツに含まれる商品の購入料金またはサービスの利用料金の割引き、取得希望のＣＭ放送コンテンツに連続する付加ＣＭ放送コンテンツの提供、放送ネットワークでは放送されないおまけのＣＭ放送コンテンツの提供によって、当該放送受信装置のユーザに還元されることになる。このため、システム利用者の加入促進、ＣＭ放送コンテンツに含まれる商品の購買意欲の増進あるいはサービスへの加入促進をさらに図ることができる。
【００２１】
サーバ装置の記憶手段は、ＣＭ放送コンテンツと共に、当該ＣＭ放送コンテンツとは異なる放送番組コンテンツを記憶し、放送コンテンツ送信手段は、放送受信装置から通信ネットワークを介してＣＭ放送コンテンツの取得要求が送られた場合に、この取得要求に応じて要求元の放送受信装置に対し記憶手段の中から該当するＣＭ放送コンテンツ及び放送番組コンテンツを読み出し通信ネットワークを介して送信することを特徴とする。
【００２２】
この構成によれば、サーバ装置のメモリに放送ネットワークにより放送されるＣＭ放送コンテンツ及び放送番組コンテンツを蓄積しておくことで、ユーザは放送ネットワークにより放送されるＣＭ放送コンテンツについてサーバ装置に対し取得要求を送出するだけで、放送受信装置に対する当該取得要求に応じたＣＭ放送コンテンツ及び放送番組コンテンツ送信処理が通信ネットワークを介して行なわれることになる。
【００２３】
従って、放送受信装置のユーザ側で自らが希望するＣＭ放送コンテンツの他に見たい放送番組も随時視聴できるようになり、これによりユーザの娯楽性をさらに高められる。一方、ＣＭ放送コンテンツの提供側では、見たい番組＋マーケティング情報に基づいた、視聴したいＣＭという、有効な視聴状況を作り上げることができる。
【００２４】
放送コンテンツ送信手段は、取得要求に応じて記憶手段の中から該当するＣＭ放送コンテンツを読み出して、当該ＣＭ放送コンテンツを、取得要求のデータフォーマットに変換し、このフォーマット変換されたＣＭ放送コンテンツを要求元の放送受信装置に対し通信ネットワークを介して送信することを特徴とする。
【００２５】
この構成によれば、決められた放送受信装置でサーバ装置に対しＣＭ放送コンテンツの取得要求を送出する必要はなくなり、変換可能な範囲で任意のデータフォーマットを使用可能となる。従って、携帯電話機等の如何なるタイプの放送受信装置に対しても、要求されたＣＭ放送コンテンツを提供することができる。
【発明の効果】
【００２６】
以上詳述したようにこの発明によれば、ＣＭ放送コンテンツの視聴者側で自らが希望するＣＭ放送コンテンツを随時視聴できるようにし、これにより視聴者の娯楽性の向上、商品の購買意欲の増進あるいはサービスの利用の拡大、ＣＭ放送コンテンツの制作側における商品またはサービスの売り上げ向上を図り得るＣＭ視聴システム、ＣＭ放送コンテンツ提供方法、ＣＭ視聴システムの放送受信装置及びサーバ装置を提供することができる。
【発明を実施するための最良の形態】
【００２７】
以下、この発明の実施形態について図面を参照して詳細に説明する。  
（第１の実施形態）  
図１は、この発明に係わるＣＭ放送コンテンツ提供方法の第１の実施形態を実施するための放送システムの概略構成図であり、図中ＢＳは放送送信装置としての放送局、ＲＳ１〜ＲＳｎは視聴者（ユーザ）の放送受信装置としての放送受信機、ＳＶは例えば携帯電話会社やブロードバンド会社といった放送事業者ごとに設置されるサーバ装置、ＣＴ１〜ＣＴｍは放送コンテンツ供給会社（広告主、代理店、メディアを含む）の端末装置をそれぞれ示している。このうち、放送受信機ＲＳ１〜ＲＳｎ、サーバ装置ＳＶ及び端末装置ＣＴ１〜ＣＴｍは、電話・携帯電話網、インターネットを含む公衆通信網ＮＷを介して接続される。
【００２８】
放送局ＢＳから送信された放送信号は、サービスエリアに向けて放送される。一方、各視聴者の放送受信機ＲＳ１〜ＲＳｎは、車両に搭載されるか又は視聴者自身が携帯することにより使用される。なお、各放送受信機ＲＳ１〜ＲＳｎは、家屋内に固定的に設置することも可能である。
【００２９】
放送受信機ＲＳ１〜ＲＳｎは、上記サービスエリア内において到来する放送信号を受信して再生する。
【００３０】
図２は、上記サーバ装置ＳＶの要部構成を示すブロック図である。  
サーバ装置ＳＶは、コンテンツ管理部１１と、記憶部１２と、視聴者データベース１３と、通信制御部１４との間をバス１５により接続している。
【００３１】
記憶部１２には、放送波により放送されるＣＭ放送コンテンツはもちろんのこと、放送波では放送しないＣＭ放送コンテンツや過去数年前のＣＭ放送コンテンツがカテゴリ及びコンテンツ制作者に対応付けて蓄積されている。
【００３２】
視聴者データベース１３には、契約した放送受信機ＲＳ１〜ＲＳｎのユーザの個人情報と、ＣＭ放送コンテンツの取得回数と、取得したＣＭ放送コンテンツのコンテンツ制作者を示す情報とが対応付けられて記憶されている。
【００３３】
上記通信制御部１４は、公衆通信網ＮＷを介して放送受信機ＲＳ１〜ＲＳｎ、端末装置ＣＴ１〜ＣＴｍとの間で通信を行なうもので、放送受信機ＲＳ１〜ＲＳｎから送られるＣＭ放送コンテンツの取得要求の受信と、この取得要求に応じて上記記憶部１２に蓄積されているＣＭ放送コンテンツの送信とを行なう。
【００３４】
コンテンツ管理部１１は、放送局ＢＳで放送されるＣＭ放送コンテンツを管理するための機能として、記憶部１２及び視聴者データベース１３に蓄積される情報の管理機能の他に、統計処理部１１１と、統計データ通知制御部１１２と、フォーマット変換制御部１１３と、利益還元部１１４とを備えている。
【００３５】
統計処理部１１１は、上記視聴者データベース１３に蓄積されたＣＭ放送コンテンツごとの取得回数をもとに、ＣＭ放送コンテンツごとの平均視聴率さらには当該ＣＭ放送コンテンツの放送時間中における時間帯別視聴率を算出する。
【００３６】
統計データ通知制御部１１２は、上記統計処理部１１１により算出されたＣＭ放送コンテンツごとの視聴率データを含む統計データを生成し、この統計データを通信制御部１４及び公衆通信網ＮＷを介して該当する放送コンテンツ供給会社の端末装置ＣＴ１〜ＣＴｍへ送信する。この統計データは、放送コンテンツ供給会社が放送済みのＣＭ放送コンテンツの反響を分析して次回のＣＭ放送コンテンツの制作に反映させるためと、マーケティングに追従した次の商品展開の予測を行なうために使用される。
【００３７】
フォーマット変換制御部１１３は、放送受信機ＲＳ１〜ＲＳｎへのＣＭ放送コンテンツの送信に際し、ＣＭ放送コンテンツを放送受信機ＲＳ１〜ＲＳｎからの取得要求のデータフォーマットへフォーマット変換する。
【００３８】
利益還元部１１４は、上記視聴データベース１３に蓄積されるＣＭ放送コンテンツの取得回数をもとに、ＣＭ放送コンテンツに含まれる商品の購入料金またはサービスの利用料金の割引料金を算出し、この割引情報を該当する放送受信機ＲＳ１〜ＲＳｎのユーザに通知する。
【００３９】
図３は、上記放送受信機ＲＳ１〜ＲＳｎの要部構成を示すブロック図である。ここでは、放送受信機ＲＳ１を代表して説明する。  
放送受信機ＲＳ１は、受信アンテナ２１と、受信部２２と、制御部２３と、ＣＲＴを用いた表示部２４とを備えている。
【００４０】
このうち受信部２２は、放送局ＢＳから送られた放送信号を受信アンテナ２１を介して受信し、周波数変換回路及び復調回路等を用いて復調することにより放送コンテンツを再生する。制御部２３は、上記再生された放送コンテンツに含まれる映像信号を表示部２４に供給して表示させると共に、音声信号を図示しないスピーカから拡声出力させる。
【００４１】
ところで、上記放送受信機ＲＳ１は、放送受信機能に加え、ＣＭ放送コンテンツの要求送信機能と、公衆通信網ＮＷを介して取得したＣＭ放送コンテンツの再生機能とを有している。これら機能は、上記制御部２３と、記憶部２５と、入力部２６と、モデム２７とによって実現する。
【００４２】
このうち、入力部２６は、放送受信機ＲＳ１に対し種々の動作指示を入力するために使用するもので、放送局ＢＳとの希望するＣＭ放送コンテンツのカテゴリの登録指示の入力と、サーバ装置ＳＶに対するＣＭ放送コンテンツの取得要求の送信指示の入力にも使用される。入力部２６によりＣＭ放送コンテンツのカテゴリの登録指示が入力された場合に、制御部２３は入力されたＣＭ放送コンテンツのカテゴリを記憶部２５に記憶保持する。
【００４３】
また、制御部２３は、入力部２６により任意のＣＭ放送コンテンツの取得要求が入力された場合に、上記モデム２７により公衆通信網ＮＷを介してサーバ装置ＳＶに対しＣＭ放送コンテンツの取得要求を送出する。そして、取得要求に応じてサーバ装置ＳＶが送信するＣＭ放送コンテンツをモデム２７を介して受信する。以後、制御部２３は、受信されたＣＭ放送コンテンツを再生し、この再生したＣＭ放送コンテンツに含まれる映像信号を表示部２４に供給して表示させると共に、音声信号を図示しないスピーカから拡声出力させる。なお、公衆通信網ＮＷを経由したＣＭ放送コンテンツを再生するために、制御部２３には専用のコーデックがセットされる。
【００４４】
さらに、制御部２３は、コンテンツ受信判定部２３１と、通知処理部２３２とを備えている。コンテンツ受信判定部２３１は、受信部２２でＣＭ放送コンテンツが受信されるごとに、この受信ＣＭ放送コンテンツと上記記憶部２５に記憶保持されている登録ＣＭ放送コンテンツとの間でカテゴリの比較を行い、これによりユーザが取得を希望しているＣＭ放送コンテンツであるか否かを判定する。
【００４５】
通知処理部２３２は、上記コンテンツ受信判定部２３１において、ユーザが取得を希望しているＣＭ放送コンテンツと判定された場合に、その旨のメッセージをカテゴリ情報と共に表示部２４にＯＳＤ（On Screen Display）により表示させる。なお、ＯＳＤの代わりにＬＥＤ等の点灯或いは点滅を使用してもよい。
【００４６】
次に、以上のように構成された放送システムにおけるＣＭ放送コンテンツ提供方法を説明する。
【００４７】
公衆通信網ＮＷ経由で提供される任意のＣＭ放送コンテンツの視聴を希望する視聴者（ユーザ）は、公衆通信網ＮＷを介してサーバ装置ＳＶとの契約を結ぶ。その際、サーバ装置ＳＶを所有する放送事業者は、ユーザの名前や住所、連絡先の電話番号又はメールアドレス等の属性情報と、ユーザＩＤ及びパスワードを視聴者データベース１３に登録する。またそれとともに、放送事業者は、ユーザに対し専用コーデックをセットするためのアプリケーションツールを送る。
【００４８】
ユーザは、放送事業者から送られたアプリケーションツールを放送受信機ＲＳ１にセットする。なお、上記アプリケーションツールの送付方法には、公衆通信網ＮＷを経由して電子メールの添付ファイルとして送信する方法、郵送による方法がある。
【００４９】
一方、放送コンテンツ供給会社は、それぞれ端末装置ＣＴ１〜ＣＴｍによりＣＭ放送コンテンツを制作し、放送事業者に対し放送を委託する。放送事業者は、放送コンテンツ供給会社から委託されたＣＭ放送コンテンツを、サーバ装置ＳＶの記憶部１２に蓄積しておくとともに、放送時間帯に割り振ったのち自己の放送局ＢＳからサービスエリアに向け放送する。
【００５０】
図４及び図５は、任意のＣＭ放送コンテンツを取得する際の放送受信機ＲＳ１及びサーバ装置ＳＶの動作手順とその内容を示すフローチャートである。
【００５１】
放送受信機ＲＳ１は、放送中のＣＭ放送コンテンツのカテゴリ情報を表示部２４に表示する。そして、この状態でユーザが取得を希望するＣＭ放送コンテンツのカテゴリ情報を入力部２６により選択指定すると、放送受信機ＲＳ１はステップＳＴ４ａからステップＳＴ４ｂに移行して、ここで上記選択指定されたＣＭ放送コンテンツのカテゴリ情報を記憶部２５に記憶保持する。すなわち、これにより取得希望のＣＭ放送コンテンツの登録がなされる。
【００５２】
続いて放送受信機ＲＳ１は、放送局ＢＳから放送されるＣＭ放送コンテンツが受信されるごとに、ステップＳＴ４ｃにおいてこの受信ＣＭ放送コンテンツと上記記憶部２５に登録されている取得希望のＣＭ放送コンテンツとのカテゴリを比較し、これにより取得希望のＣＭ放送コンテンツが受信されたか否かを判定する。そして、受信されなければそのまま処理を終了するが、受信した場合には、ステップＳＴ４ｄで受信の旨のメッセージを表示部２４に供給してＯＳＤ表示させる。従って、この表示によりユーザは希望するＣＭ放送コンテンツをリアルタイムに知ることができる。
【００５３】
この状態でユーザが、上記ＣＭ放送コンテンツを取得するべく入力部２６において取得指示を入力したとする。そうすると放送受信機ＲＳ１は、ステップＳＴ４ｅステップＳＴ４ｆに移行してここで公衆通信網ＮＷに対しサーバ装置ＳＶへの発呼信号を送出する。そして、この発呼に対しサーバ装置ＳＶとの間に通信リンクが確立されると、この通信リンクを介してサーバ装置ＳＶに対しＣＭ放送コンテンツの取得要求を送信する。この取得要求には、取得を希望するＣＭ放送コンテンツの内容や、ユーザＩＤ、パスワードが含まれる。
【００５４】
これに対しサーバ装置ＳＶは、放送受信機ＲＳ１から取得要求を受信すると（ステップＳ５ａ）、取得要求に含まれるユーザＩＤ及びパスワードと視聴者データベース１３に登録されているユーザＩＤ及びパスワードとを比較することで、認証を行う（ステップＳＴ５ｂ）。
【００５５】
ここで、認証が得られない場合（Ｎｏ）、サーバ装置ＳＶは要求元の放送受信機ＲＳ１に対しエラーメッセージを送信する。一方、認証が得られた場合（Ｙｅｓ）、サーバ装置ＳＶは記憶部１２から該当するＣＭ放送コンテンツを読み出す（ステップＳＴ５ｃ）。ここで、読み出したＣＭ放送コンテンツをテレビジョン放送用のデータフォーマットから公衆通信網ＮＷ用のデータフォーマットにフォーマット変換する。
【００５６】
すなわち、放送受信機ＲＳ１〜ＲＳｎが携帯電話機やパーソナル・コンピュータである場合に、これらのデータフォーマットとテレビジョン放送用のデータフォーマットとの対応関係を表す変換テーブルを記憶部１２に予め用意しておくことで対応できる。
【００５７】
そして、サーバ装置ＳＶはフォーマット変換したＣＭ放送コンテンツを、公衆通信網ＮＷを介して要求元の放送受信機ＲＳ１に向け送信する（ステップＳＴ５ｄ）。
【００５８】
放送受信機ＲＳ１は、サーバ装置ＳＶから公衆通信網ＮＷを介して送られてきたＣＭ放送コンテンツを受信し（ステップＳＴ４ｇ）、この受信ＣＭ放送コンテンツを記憶部２５に記憶すると共に表示部２４に表示させる（ステップＳＴ４ｈ）。
【００５９】
なお、ユーザがＣＭ放送コンテンツのデータ取得を一時的に停止する場合のように、ユーザが取得指示を入力しなかった場合には、処理を終了する。
【００６０】
以後、サーバ装置ＳＶは、視聴者データベース１３中のＣＭ放送コンテンツの取得回数を更新する（ステップＳＴ５ｅ）。例えば、取得回数をインクリメントする。
【００６１】
そして、サーバ装置ＳＶは、上記取得回数をもとに、割引料金を算出して、例えばシステムの利用料金に割引料金を反映させるための処理を行う。例えば、要求元の放送受信機ＲＳ１のユーザが契約しているシステムの基本料金を、上記割引料金をもとに一定金額だけ割り引くか、あるいは基本料金に上乗せされるＣＭ放送コンテンツに含まれる商品の購入料金またはサービスの利用料金から上記割引料金に応じた金額を割り引く。
【００６２】
そして、請求日になると、ステップＳＴ５ｆにおいて、割引料金をもとに請求書が作成され、この請求書が放送受信機ＲＳ１のユーザに送られる。この請求書の送付方法には、請求書データを公衆通信網ＮＷを経由してファクシミリまたは電子メールの添付ファイルとして送信する方法、郵送による方法がある。
【００６３】
また、サーバ装置ＳＶは、視聴者データベース１３をもとに、視聴率に応じたＣＭ放送コンテンツごとの報償金額を算出し、この報償金額を該当する放送コンテンツ供給会社に支払う処理を実行する。
【００６４】
また、上記処理は、放送事業者と契約している放送受信機ＲＳ２〜ＲＳｎに対しても同様に実行される。
【００６５】
以上のように上記第１の実施形態では、放送事業者のサーバ装置ＳＶの記憶部１２に放送波により放送されるＣＭ放送コンテンツを蓄積しておくことで、放送波により放送されるＣＭ放送コンテンツについてのユーザによる取得要求から放送受信機ＲＳ１〜ＲＳｎに対する当該取得要求に応じたＣＭ放送コンテンツの送信処理までの処理を、公衆通信網ＮＷを介して実行するようにしている。
【００６６】
従って、放送受信機ＲＳ１〜ＲＳｎのユーザ側で自らが希望するＣＭ放送コンテンツを随時視聴できるようになり、これによりユーザは購入希望の商品またはサービスを雑誌等で検索する必要がなく、ユーザの娯楽性を高められることはもちろんのこと、そのＣＭ放送コンテンツに含まれる商品の購買意欲の増進あるいはサービスへの加入促進を図ることができる。一方、放送コンテンツ供給会社や放送事業者にとっては、ＣＭ放送コンテンツの視聴効果により収入を得ることができ、商品またはサービスの売り上げ向上につながる。また、放送コンテンツ供給会社が代理店やメディアの場合には、ＣＭ放送コンテンツの二次利用により、著作権による利益を得ることもできる。
【００６７】
また、上記第１の実施形態では、放送受信機ＲＳ１〜ＲＳｎにおいて、ユーザが希望するＣＭ放送コンテンツのカテゴリを示す情報を予め記憶部２５に登録しておき、この登録したカテゴリと実際に放送局ＢＳから送られるＣＭ放送コンテンツのカテゴリとを比較することで放送されるＣＭ放送コンテンツが取得希望のものであるか否かを判定し、取得希望のものである場合に、サーバ装置ＳＶから該当するＣＭ放送コンテンツを公衆通信網ＮＷを介して伝送するようにしている。
【００６８】
従って、ユーザは着目しているカテゴリに属するＣＭ放送コンテンツが受信されるごとに、そのＣＭ放送コンテンツを常にタイムリーに取得して視聴することができる。また、取得希望のＣＭ放送コンテンツが放送されるごとにユーザが自身でそのＣＭ放送コンテンツが必要か否かを判断して指示することができ、これにより真に必要なＣＭ放送コンテンツのみを取得することが可能となる。
【００６９】
また、上記第１の実施形態では、サーバ装置ＳＶにおいて、視聴者データベース１３に蓄積管理された放送受信機ＲＳ１〜ＲＳｎのユーザに関する情報を用いてＣＭ放送コンテンツの取得状況を管理するとともに、ＣＭ放送コンテンツごとの取得回数に関する統計データを求めるようにしている。従って、放送コンテンツ供給会社は精度の高い統計データをもとに次回のＣＭ放送コンテンツの制作を行なうことができるとともに、マーケティングに追従した次の商品展開の予測を容易にし、収益アップを図ることができる。
【００７０】
また、上記第１の実施形態では、サーバ装置ＳＶにおいて、ＣＭ放送コンテンツごとの統計データに基づいて、当該ＣＭ放送コンテンツを制作した放送コンテンツ供給会社への報償金額を算出し、この金額をコンテンツ制作者に支払うための処理を実行するようにしている。
【００７１】
従って、放送コンテンツ供給会社は自身が制作したＣＭ放送コンテンツの評価に応じた報償金額を受け取ることができ、これにより制作意欲のさらなる増進が期待できる。
【００７２】
また、上記第１の実施形態では、サーバ装置ＳＶにおいて、ＣＭ放送コンテンツの取得回数に応じてそれに見合う利益を、例えばシステムの利用料金の割引き、ＣＭ放送コンテンツに含まれる商品の購入料金またはサービスの利用料金の割引きによって、放送受信機ＲＳ１〜ＲＳｎのユーザに還元するようにしている。従って、システム利用者の加入促進、ＣＭ放送コンテンツに含まれる商品の購買意欲の増進あるいはサービスへの加入促進をさらに図ることができる。
【００７３】
さらに、上記第１の実施形態では、サーバ装置ＳＶにおいて、ＣＭ放送コンテンツを、取得要求のデータフォーマットに変換し、このフォーマット変換されたＣＭ放送コンテンツを要求元の放送受信機ＲＳ１〜ＲＳ２に対し公衆通信網ＮＷを介して送信するようにしている。
【００７４】
従って、ユーザはシステムを利用するために決められたデータフォーマットの放送受信機に買い換える必要がなく、変換可能な範囲で既存の携帯電話機やパーソナル・コンピュータ等を使用することができる。
【００７５】
（第２の実施形態）  
この発明の第２の実施形態は、ＣＭ放送コンテンツの他に、当該ＣＭ放送コンテンツの放送コンテンツ供給会社がスポンサーとなる放送番組コンテンツも随時視聴できるようにしたものである。サーバ装置ＳＶの記憶部１２には、ＣＭ放送コンテンツの他に、放送番組コンテンツも放送コンテンツ供給会社に対応付けて登録しておくものとする。
【００７６】
図６及び図７は、この発明の第２の実施形態としての放送受信機ＲＳ１及びサーバ装置ＳＶの動作手順とその内容を示すフローチャートである。
【００７７】
放送受信機ＲＳ１は、放送中のＣＭ放送コンテンツのカテゴリ情報及び放送番組の情報を表示部２４に表示する。そして、この状態でユーザが取得を希望するＣＭ放送コンテンツのカテゴリ情報及び放送番組の情報を入力部２６により選択指定すると、放送受信機ＲＳ１はステップＳＴ６ａからステップＳＴ６ｂに移行して、ここで上記選択指定されたＣＭ放送コンテンツのカテゴリ情報及び放送番組の情報を記憶部２５に記憶保持する。すなわち、これにより取得希望のＣＭ放送コンテンツ及び放送番組の登録がなされる。
【００７８】
続いて放送受信機ＲＳ１は、放送局ＢＳから放送されるＣＭ放送コンテンツが受信されるごとに、ステップＳＴ６ｃにおいてこの受信ＣＭ放送コンテンツと上記記憶部２５に登録されている取得希望のＣＭ放送コンテンツのカテゴリを比較し、これにより取得希望のＣＭ放送コンテンツが受信されたか否かを判定する。そして、受信されなければそのまま処理を終了するが、受信した場合には、ステップＳＴ６ｄで受信の旨のメッセージを表示部２４に供給してＯＳＤ表示させる。従って、この表示によりユーザは希望するＣＭ放送コンテンツをリアルタイムに知ることができる。
【００７９】
この状態でユーザが、上記ＣＭ放送コンテンツ及び放送番組コンテンツを取得するべく入力部２６において取得指示を入力したとする。そうすると放送受信機ＲＳ１は、ステップＳＴ６ｅステップＳＴ６ｆに移行してここで公衆通信網ＮＷに対しサーバ装置ＳＶへの発呼信号を送出する。そして、この発呼に対しサーバ装置ＳＶとの間に通信リンクが確立されると、この通信リンクを介してサーバ装置ＳＶに対しＣＭ放送コンテンツ及び放送番組コンテンツの取得要求を送信する。この取得要求には、取得を希望するＣＭ放送コンテンツの内容や放送番組の内容、ユーザＩＤ、パスワードが含まれる。
【００８０】
これに対しサーバ装置ＳＶは、放送受信機ＲＳ１から取得要求を受信すると（ステップＳ７ａ）、取得要求に含まれるユーザＩＤ及びパスワードと視聴者データベース１３に登録されているユーザＩＤ及びパスワードとを比較することで、認証を行う（ステップＳＴ７ｂ）。
【００８１】
ここで、認証が得られない場合（Ｎｏ）、サーバ装置ＳＶは要求元の放送受信機ＲＳ１に対しエラーメッセージを送信する。一方、認証が得られた場合（Ｙｅｓ）、サーバ装置ＳＶは記憶部１２から該当するＣＭ放送コンテンツ及び放送番組コンテンツを読み出す（ステップＳＴ７ｃ）。ここで、読み出したＣＭ放送コンテンツ及び放送番組コンテンツをテレビジョン放送用のデータフォーマットから公衆通信網ＮＷ用のデータフォーマットにフォーマット変換する。
【００８２】
そして、サーバ装置ＳＶはフォーマット変換したＣＭ放送コンテンツ及び放送番組コンテンツを、公衆通信網ＮＷを介して要求元の放送受信機ＲＳ１に向け送信する（ステップＳＴ７ｄ）。
【００８３】
放送受信機ＲＳ１は、サーバ装置ＳＶから公衆通信網ＮＷを介して送られてきたＣＭ放送コンテンツ及び放送番組コンテンツを受信し（ステップＳＴ６ｇ）、この受信ＣＭ放送コンテンツ及び放送番組コンテンツを記憶部２５に記憶すると共に表示部２４に表示させる（ステップＳＴ６ｈ）。
【００８４】
なお、ユーザがＣＭ放送コンテンツのデータ取得を一時的に停止する場合のように、ユーザが取得指示を入力しなかった場合には、処理を終了する。
【００８５】
以後、サーバ装置ＳＶは、視聴者データベース１３中のＣＭ放送コンテンツの取得回数を更新する（ステップＳＴ７ｅ）。例えば、取得回数をインクリメントする。
【００８６】
そして、サーバ装置ＳＶは、上記取得回数をもとに、の割引料金を算出して、例えばシステムの利用料金に割引料金を反映させるための処理を行う。例えば、要求元の放送受信機ＲＳ１のユーザが契約しているシステムの基本料金を、上記割引料金をもとに一定金額だけ割り引くか、あるいは基本料金に上乗せされるＣＭ放送コンテンツに含まれる商品の購入料金またはサービスの利用料金から上記割引料金に応じた金額を割り引く。
【００８７】
そして、請求日になると、ステップＳＴ７ｆにおいて、割引料金をもとに請求書が作成され、この請求書が放送受信機ＲＳ１のユーザに送られる。
【００８８】
また、上記処理は、放送事業者と契約している放送受信機ＲＳ２〜ＲＳｎに対しても同様に実行される。
【００８９】
以上のように上記第２の実施形態であれば、サーバ装置ＳＶの記憶部１２に放送波により放送されるＣＭ放送コンテンツ及び放送番組コンテンツを蓄積しておくことで、ユーザは放送波により放送されるＣＭ放送コンテンツ及び放送番組コンテンツについてサーバ装置ＳＶに対し取得要求を送出するだけで、放送受信機ＲＳ１〜ＲＳｎに対する当該取得要求に応じたＣＭ放送コンテンツ及び放送番組コンテンツ送信処理が公衆通信網ＮＷを介して行なわれることになる。
【００９０】
従って、放送受信機ＲＳ１〜ＲＳｎのユーザ側で自らが希望するＣＭ放送コンテンツの他に見たい放送番組も随時視聴できるようになり、これによりユーザの娯楽性をさらに高められる。一方、放送コンテンツ供給会社や放送事業者側では、見たい番組＋マーケティング情報に基づいた、視聴したいＣＭという、有効な視聴状況を作り上げることができる。
【００９１】
（その他の実施形態）  
なお、この発明は上記各実施形態に限定されるものではない。例えば、上記各実施形態では、地上波を使用する放送システムを例にとって説明したが、ケーブルテレビジョン（ＣＡＴＶ）システムにも、同様に適用可能である。
【００９２】
また、上記各実施形態では、ユーザが取得を希望しているＣＭ放送コンテンツを受信した場合にその旨を一旦ユーザに報知し、ユーザが取得指示を入力した場合に放送受信機からサーバ装置へ取得要求を送出して該当するＣＭ放送コンテンツを取得するようにした。しかし、これに限定されるものではなく、取得希望のＣＭ放送コンテンツが受信された時点で、放送受信機からサーバ装置へ取得要求を送出して該当するＣＭ放送コンテンツを取得するように構成してもよい。
【００９３】
また、上記ユーザによる取得指示の入力を待って取得要求を送出して該当するＣＭ放送コンテンツを取得するモードと、上記受信時点で自動的に取得要求を送出して該当するＣＭ放送コンテンツを取得するモードとを備え、ユーザの選択指示に従いこれらのモードを選択的に動作させるようにしてもよい。
【００９４】
さらに、上記各実施形態では、ＣＭ放送コンテンツの取得回数に応じてそれに見合う利益を、例えばシステムの利用料金の割引き、ＣＭ放送コンテンツに含まれる商品の購入料金またはサービスの利用料金の割引きによって、放送受信機のユーザに還元する例について説明した。しかしこれに限ることなく、ＣＭ放送コンテンツの取得回数に応じてそれに見合う利益を、例えば取得希望のＣＭ放送コンテンツに連続する付加ＣＭ放送コンテンツの提供、放送ネットワークでは放送されないおまけのＣＭ放送コンテンツの提供によって、放送受信機のユーザに還元するようにしてもよい。
【００９５】
その他、システム構成や、サーバ装置及び放送受信機の構成、ＣＭ放送コンテンツや放送番組コンテンツを取得する際のサーバ装置及び放送受信機の制御手順とその内容、ＣＭ放送コンテンツの取得回数に応じた利益還元方法等についても、この発明の要旨を逸脱しない範囲で種々変形して実施できる。
【図面の簡単な説明】
【００９６】
【図１】この発明に係わるＣＭ放送コンテンツ提供方法の第１の実施形態を実施するための放送システムの概略構成図。
【図２】図１に示したサーバ装置の要部構成を示すブロック図。
【図３】図１に示した放送受信機の要部構成を示すブロック図。
【図４】同第１の実施形態において、任意のＣＭ放送コンテンツを取得する際の放送受信機の動作手順とその内容を示すフローチャート。
【図５】同第１の実施形態において、任意のＣＭ放送コンテンツを取得する際のサーバ装置の動作手順とその内容を示すフローチャート。
【図６】この発明の第２の実施形態における任意のＣＭ放送コンテンツ及び放送番組コンテンツを取得する際の放送受信機の動作手順とその内容を示すフローチャート。
【図７】同第２の実施形態において、任意のＣＭ放送コンテンツ及び放送番組コンテンツを取得する際のサーバ装置の動作手順とその内容を示すフローチャート。
【符号の説明】
【００９７】
１１…コンテンツ管理部、１２…記憶部、１３…視聴者データベース、１４…通信制御部、１５…バス、２１…受信アンテナ、２２…受信部、２３…制御部、２４…表示部、２５…記憶部、２６…入力部、２７…モデム、１１１…統計処理部、１１２…統計データ通知制御部、１１３…フォーマット変換制御部、１１４…利益還元部、２３１…コンテンツ受信判定部、２３２…通知処理部、ＢＳ…放送局、ＳＶ…サーバ装置、ＲＳ１〜ＲＳｎ…放送受信機、ＣＴ１〜ＣＴｍ…放送コンテンツ供給会社の端末装置、ＮＷ…公衆通信網。
【図１】
2008072216.tif 000003
【図２】
2008072216.tif 000004
【図３】
2008072216.tif 000005
【図４】
2008072216.tif 000006
【図５】
2008072216.tif 000007
【図６】
2008072216.tif 000008
【図７】
2008072216.tif 000009